(57)【特許請求の範囲】
【請求項１】
複数の入力部のうち少なくとも一の入力部に対応して設けられ、対応する前記入力部への近接または接触を検出する検出部と、
前記検出部により近接または接触が検出された場合には、処理実行部が処理を実行する情報を得る前記入力部を、前記一の入力部から他の前記入力部に切り替える切り替え部と、
を備え、
前記切り替え部は、前記処理実行部が処理を実行する情報を得る前記入力部に対応する前記検出部以外の２つ以上の前記検出部により、同時に物体が検出された場合には、前記処理実行部が処理を実行する情報を得る前記入力部を、前記一の入力部から予め定められた前記入力部に切り替える、
携帯端末。
【請求項２】
前記切り替え部は、予め定められた時間が経過する間に、前記検出部により近接または接触が検出された場合に、前記処理実行部が処理を実行する情報を得る前記入力部を、前記一の入力部から他の前記入力部に切り替える、
請求項１記載の携帯端末。
【請求項３】
前記切り替え部は、前記検出部による近接または接触が検出されてから、物体が検出された状態が予め定められた時間が継続した場合に、前記処理実行部が処理を実行する情報を得る前記入力部を、前記一の入力部から他の前記入力部に切り替える、
請求項１記載の携帯端末。
【請求項４】
前記入力部はカメラであり、前記処理実行部は、前記携帯端末に設けられた表示部に前記カメラで撮像することにより得られた画像データを示す画像を表示する処理を実行する、
請求項１から請求項３のいずれか１項に記載の携帯端末。
【請求項５】
複数の入力部のうち少なくとも一の入力部に対応して設けられ、対応する前記入力部への近接または接触を検出する検出部と、
前記検出部により近接または接触が検出された場合には、処理実行部が処理を実行する情報を得る前記入力部を、前記一の入力部から他の前記入力部に切り替える切り替え部と、
を備え、
前記切り替え部は、前記入力部の切り替えに応じて、一の前記検出部から他の前記検出部に切り替える、
請求項１から請求項４のいずれか１項に記載の携帯端末。
【請求項６】
処理実行部と、複数の入力部のうち少なくとも一の入力部に対応して設けられ、対応する前記入力部への近接または接触を検出する検出部を備える携帯端末のコンピュータが、
前記検出部により近接または接触が検出された場合には、処理実行部が処理を実行する情報を得る前記入力部を、前記一の入力部から他の前記入力部に切り替える切り替え過程と、
を有し、
前記切り替え過程において、前記処理実行部が処理を実行する情報を得る前記入力部に対応する前記検出部以外の２つ以上の前記検出部により、同時に物体が検出された場合には、前記処理実行部が処理を実行する情報を得る前記入力部を、前記一の入力部から予め定められた前記入力部に切り替える、
切り替え方法。
【請求項７】
処理実行部と、複数の入力部のうち少なくとも一の入力部に対応して設けられ、対応する前記入力部への近接または接触を検出する検出部を備える携帯端末のコンピュータが、
前記検出部により近接または接触が検出された場合には、処理実行部が処理を実行する情報を得る前記入力部を、前記一の入力部から他の前記入力部に切り替える切り替えステップ、
を実行し、
前記切り替えステップにおいて、前記処理実行部が処理を実行する情報を得る前記入力部に対応する前記検出部以外の２つ以上の前記検出部により、同時に物体が検出された場合には、前記処理実行部が処理を実行する情報を得る前記入力部を、前記一の入力部から予め定められた前記入力部に切り替える、
プログラム。
【発明の詳細な説明】
【技術分野】
【０００１】
本発明は、携帯端末に関する。
【背景技術】
【０００２】
従来より、複数の撮像部のような入力部を備える携帯端末が普及している。このような携帯端末に関連し、特許文献１には、表示部を備えた携帯端末において、表示部側にインカメラを備え、表示部とは反対の背面側にアウトカメラを備える携帯端末が開示されている。
【０００３】
この特許文献１には、インカメラで撮像して得た画像からユーザの視線方向を検出し、ユーザの視線方向が携帯端末の表示部を向いている場合には、インカメラで撮像されたユーザの画像を通信回路およびアンテナを介して相手方に伝送し、ユーザの視線方向がアウトカメラで撮像中の被写体を向いている場合には、アウトカメラで撮像された被写体の画像を相手方に伝送するようにし、もって相手側に伝送するインカメラとアウトカメラの画像データを迅速に切り替え得ることが記載されている。
【先行技術文献】
【特許文献】
【０００４】
【特許文献１】特開２０１０−１６１６５５号公報
【発明の概要】
【発明が解決しようとする課題】
【０００５】
しかしながら、特許文献１に開示された携帯端末では、アウトカメラで撮像された画像を表示部で見ながら被写体を撮像することができず、うまく役立たないという問題があった。
【０００６】
このように、複数の入力部を有する従来の携帯端末におけるユーザの操作性はよいものではなかった。
【０００７】
本発明は、このような事情に鑑みてなされたもので、その目的は、ユーザの操作性を向上させた携帯端末を提供することにある。
【課題を解決するための手段】
【０００８】
上述した課題を解決するために、本発明は、複数の入力部のうち少なくとも一の入力部に対応して設けられ、対応する前記入力部への近接または接触を検出する検出部と、前記検出部により近接または接触が検出された場合には、処理実行部が処理を実行する情報を得る前記入力部を、前記一の入力部から他の前記入力部に切り替える切り替え部とを有することを特徴とする。
【発明の効果】
【０００９】
以上説明したように、この発明によれば、ユーザの操作性を向上させた携帯端末を提供することができる。
【図面の簡単な説明】
【００１０】
【図１】本発明の実施形態に係る携帯端末のハードウェア構成を示す図である。
【図２】本発明の実施形態に係る携帯端末の構成を示すブロック図である。
【図３】表示部に表示されている画像の切り替えを示す図である。
【図４】第１の実施形態に係る処理を示すフローチャートを示す図である。
【図５】第１の実施形態に係る他の処理を示すフローチャートを示す図である。
【図６】第２の実施形態に係る処理を示すフローチャートを示す図である。
【図７】第３の実施形態に係る処理を示すフローチャートである。
【図８】第３の実施形態に係る他の処理を示すフローチャートを示す図である。
【図９】第４の実施形態に係る処理を示すフローチャートを示す図である。
【発明を実施するための形態】
【００１１】
図１は、本発明の実施形態に係る携帯端末１のハードウェア構成を概念的に示す図である。
携帯端末１は、ＣＰＵ１０、ＲＯＭ１１、ＲＡＭ１２、複数の入力部４０１（第１入力部２１、第２入力部２２、第３入力部２３）、複数のセンサ４０２（第１センサ１３、第２センサ１４、第３センサ１５）、スピーカ１６、タッチパネル１７、キー１８、マイク３０、及びディスプレイ１９を含んで構成され、これらはバス２０で接続される。ＲＯＭ１１、ＲＡＭ１２は記憶装置の例示である。
【００１２】
ＣＰＵ１０は、携帯端末１全体を制御し、後述するフローチャートに示される処理は、ＣＰＵ１０により実行される。例えば、ＲＯＭ１１には、携帯端末１を制御するための各種プログラムや各種データなどが記憶される。
ＲＡＭ１２には、上述した各種プログラムや、画像データまたは音声データなどの各種データなどが展開される。また、ＲＡＭ１２は、ＣＰＵ１０のワーク領域として用いられる。
【００１３】
複数の入力部４０１の各々は、後述する実施形態において、カメラもしくはマイクとなっている。また、複数の入力部４０１の数は３つとは限らず、後述する実施形態によっては、２つの入力部が設けられることがある。
なお、複数の入力部４０１の各々がカメラの場合、複数の入力部４０１の各々には、カメラで撮像した被写体像が入力され、被写体像を示す画像データが生成されて情報として得ることができる。また、本実施形態の場合、各々のカメラの撮像方向は異なる。例えば、第１入力部２１は、ディスプレイ１９側の携帯端末１の上部に備えられたカメラであり、ディスプレイ１９の正面方向の被写体を撮像する。第２入力部２２は、携帯端末１の背面上部に設けられたカメラであり、携帯端末１の背面方向の被写体を撮像する。
【００１４】
また、複数の入力部４０１の各々がマイクの場合は、複数の入力部４０１の各々には、音声が入力され、音声を示す音声データが生成されて情報として得ることができる。また、本実施形態の場合、各々のマイクの集音方向は異なる。例えば、第１入力部２１は、上記ディスプレイ１９側に備えられたマイクであり、ディスプレイ１９の正面方向が集音方向となっている。第２入力部２２は、携帯端末１の背面に設けられたマイクであり、携帯端末１の背面方向が集音方向となっている。なお、複数の入力部４０１の各々がマイクの場合は、図１に示されたマイク３０は不要となる。
【００１５】
複数のセンサ４０２は、少なくとも一つの入力部に対応して設けられ、対応する入力部への近接または接触を検出する。本実施形態において、複数のセンサ４０２は近接センサであって、複数の入力部４０１の各々に対応して設けられ、対応する入力部への手や顔などの物体の近接を検出する。
このように、本実施形態において複数のセンサ４０２の各々は近接を検出するが、入力部に接触する場合には、当然にセンサ４０２に近接することとなるため、複数のセンサ４０２の各々は接触する操作も検出できることとなる。従って、本実施形態おいて近接と接触の両方を検出できることとなる。近接するユーザ操作の検出には、例えば検出体の電気的な容量の変化を捉える方式を用いることができる。
【００１６】
複数のセンサ４０２の各々は、近接または接触が検出されている状態では、例えばハイレベルの信号をＣＰＵ１０に出力し、近接または接触が検出されていない状態では、ローレベルの信号をＣＰＵ１０に出力する。
【００１７】
本実施形態において、第１入力部２１の携帯端末１での位置の近傍には第１センサ１３が対応して設置されており、第１センサ１３は、第１入力部２１へのユーザの近接または接触を検出する。同様に、第２入力部２２の携帯端末１での位置の近傍には第２センサ１４が対応して設置されており、第２センサ１４は、第２入力部２２へのユーザの近接または接触を検出する。また、第３入力部２３の携帯端末１での位置の近傍には、第３センサ１５が対応して設置されており、第３センサ１５は、第３入力部２３へのユーザの近接または接触を検出する。
【００１８】
スピーカ１６は音声を出力する。タッチパネル１７は、ディスプレイ１９と一体的に設けられており、ユーザのタッチ操作などを検出し、検出した操作内容をＣＰＵ１０に出力する。キー１８は、ハードキーであり、本実施形態ではキーのオンオフを検出して検出結果をＣＰＵ１０に出力する。
【００１９】
ディスプレイ１９は、画像や動画、各種アプリケーションの画面などを表示する。なお、複数の入力部４０１の各々がカメラの場合、ディスプレイ１９は、各々のカメラで撮像された画像や映像を表示することができる。以下の説明では、画像と映像をまとめて画像と表現する。また、複数の入力部４０１の各々がマイクの場合、ディスプレイ１９は、録音機能を提供するためのメニューなどを表示する。
以上説明した構成に、さらに携帯電話回線や無線ＬＡＮと無線通信を行う通信部を設けるようにしてもよい。次に、上述したハードウェア構成を備える携帯端末の各実施形態について説明する。
【００２０】
図２は、携帯端末１を機能の面から見直した場合の構成を示すブロック図である。
携帯端末１は、第１近接／接触検出部１１３、第２近接／接触検出部１１４、第３近接／接触検出部１１５、第１入力部２１、第２入力部２２、第３入力部２３、切り替え制御部１０５、制御部１０７、記憶部１０６、操作部１０８、表示部１０９、音声入力部１１０、及び音声出力部１１１で構成される。
制御部１０７はＣＰＵ１０（図１）を含み、携帯端末１全体を制御する。切り替え制御部１０５は、制御部１０７の指示により、制御部１０７が処理を実行する情報を得る第１入力部２１、第２入力部２２、第３入力部２３のうちのいずれかの入力部を、一つの入力部（例えば第１入力部２１）から他の入力部（例えば第２入力部２２）に切り替える。
第１近接／接触検出部１１３、第２近接／接触検出部１１４、第３近接／接触検出部１１５は、それぞれ第１センサ１３、第２センサ１４、第３センサ１５に対応し、近接または接触を検出する。
【００２１】
記憶部１０６は、ＲＯＭ１１（図１）、ＲＡＭ１２（図１）に対応し、撮像された画像データなどが記憶される。操作部１０８は、タッチパネル１７（図１）、及びキー１８（図１）に対応し、ユーザの操作入力を受け付ける。表示部１０９は、ディスプレイ１９（図１）に対応する。音声入力部１１０は、入力された音声をＡＤ変換し、デジタルデータとして音声データを出力する。音声出力部１１１は、スピーカ１６（図１）を含み、音声のデジタルデータをＤＡ変換したアナログデータをスピーカ１６に出力することで、スピーカから音声を出力する。以下で説明する各実施形態における携帯端末１の構成は、基本的に図１，２で説明したものとなっている。
【００２２】
（第１の実施形態）
第１の実施形態は、携帯端末１が、一例としてカメラ機能付きの携帯電話端末であって、複数の入力部４０１（図１）を複数のカメラとした形態である。上述した図２において、第１の実施形態の構成に、第１入力部２１、第２入力部２２、及び第３入力部２３のうち、背面カメラとしての第１入力部２１、前面カメラとしての第２入力部２２が含まれ、第３入力部２３は含まれない。さらに、第１の実施の形態の構成に、第１近接／接触検出部１１３、第２近接／接触検出部１１４、及び第３近接／接触検出部１１５のうち、背面近接／接触検出部としての第１近接／接触検出部１１３、前面近接／接触検出部としての第２近接／接触検出部１１４が含まれ、第３近接／接触検出部１１５は含まれない。
【００２３】
本実施形態において、単にカメラと表現されている場合には、背面カメラ及び前面カメラのうちのいずれか１つのカメラを示し、単に検出部と表現されている場合には、背面近接／接触検出部及び前面近接／接触検出部のうちのいずれか１つのセンサを示す。
本実施形態において、制御部１０７は、複数の入力部４０１のうち、一の入力部により得られた画像データに対して、当該画像データが示す画像を表示部１０９に表示する処理を実行する。
【００２４】
切り替え制御部１０５は、制御部１０７の指示により、検出部により近接または接触が検出された場合には、制御部１０７が処理を実行する情報を得る入力部を、一つの入力部から他の入力部に切り替える。具体的に、本実施形態において、切り替え制御部１０５は、撮像するカメラを背面カメラ、及び前面カメラのうちのいずれかに切り替える制御を行う。
【００２５】
この制御により、表示部１０９に表示されている画像を出力しているカメラに対応する検出部が近接または接触を検出すると、表示部１０９に表示される画像を他のカメラが撮像している画像が切り替わることとなる。
本実施形態において、表示部１０９に表示されている画像を撮像しているカメラを「有効なカメラ」と表現する。例えば、表示部１０９に背面カメラにより撮像された画像が表示されている場合には、有効なカメラは背面カメラとなる。
【００２６】
図３は、表示部１０９に表示されている画像の切り替えを示す図である。
図３に示されるように、携帯端末１の表示部１０９には、背面カメラとしての第１入力部２１により撮像された画像（ビルと樹木）が表示されている（図３の左側の図）。この状態で、第１入力部２１に指を近接または接触させると（図３の中央の図）、切り替え制御部１０５の複数のセンサ４０２のうちの第１近接/接触検出部１１３（背面近接／接触検出部）がこの近接または接触を検出し、他のカメラである前面カメラとしての第２入力部２２により撮像された画像（ユーザの像）が表示部１０９に表示される（図３の右側の図）。こうして有効なカメラが切り替わることとなる。
【００２７】
図４は、第１の実施形態に係る処理を示すフローチャートを示す図である。
この図４に示されるフローチャートは、ユーザの操作によりカメラアプリケーション（以下、「カメラアプリ」という）の実行が指示された際に実行される処理を示している。
図４において、カメラアプリを起動し（ステップＳ１０１）、有効なカメラに対応するその近傍への検出部による近接または接触の検出を開始する（ステップＳ１０２）。次いで、検出部により近接または接触が検出されると（ステップＳ１０３でＹＥＳ）、現在撮像しているカメラとは異なる他のカメラに有効なカメラを切り替える（ステップＳ１０４）。そして、近接または接触を検出する検出部を、有効となったカメラに対応する検出部に切り替えて（ステップＳ１０５）、ステップＳ１０２に戻る。
【００２８】
以上説明した図４の処理では、近接または接触が検出されるたびに有効なカメラが切り替わるようになっているが、例えば１回など予め定められた回数だけ切り替えが行われた場合には、それ以降切り替えを行わないようにしてもよい。このようにすることにより、誤動作を防止できる。
第１の実施形態によれば、例えばユーザの指の携帯端末１の所定箇所への単なる接近または接触により、有効なカメラの切り替えを簡便に行うことができる。
【００２９】
（変形例）
図５は、第１の実施形態に係る他の処理を示すフローチャートを示す図である。
この図５に示されるフローチャートは、ユーザの操作によりカメラアプリの実行が指示された際に実行される処理を示している。
図５において、カメラアプリを起動する（ステップＳ２０１）。そして、予め定められた時間を計測するために、時間の計測を開始し（ステップＳ２０２）、この予め定められた時間が経過したか否か判定する（ステップＳ２０３）。予め定められた時間が経過した場合には（ステップＳ２０３でＹＥＳ）、本処理を終了する。
【００３０】
一方、予め定められた時間が経過していない場合には（ステップＳ２０３でＮＯ）、有効なカメラに対応するその近傍への検出部により近接または接触が検出されたか否か判定する（ステップＳ２０４）。
【００３１】
近接または接触が検出されていない場合には（ステップＳ２０４でＮＯ）、ステップＳ２０３に戻る。一方、近接または接触が検出された場合には（ステップＳ２０４でＹＥＳ）、現在撮像しているカメラとは異なる他のカメラに有効なカメラを切り替える（ステップＳ２０５）。そして、近接または接触を検出する検出部を、有効となったカメラに対応する検出部に切り替えて（ステップＳ２０６）、計測された時間をリセットし（ステップＳ２０７）、ステップＳ２０２に戻る。
【００３２】
以上説明した図５の処理は、予め定められた時間が経過する間に、検出部により近接または接触が検出された場合には、制御部１０７が処理を実行する情報を得るカメラを、一のカメラから他のカメラに切り替えるようになっている。
このように、切り替えが行われる時間を予め定められた時間のみとすることで、誤動作を防止できるので、ユーザの操作性を向上させることができる。なお、予め定められた時間は、ユーザにより設定可能な時間にしてもよいし、記憶部１０６に予め記憶されている時間にしてもよい。
【００３３】
以上説明した第１の実施形態では、有効なカメラに対応する検出部が近接または接触を検出した場合に有効なカメラを切り替えるように制御しているが、有効ではないカメラに対応する検出部が近接または接触を検出した場合に有効なカメラを切り替えるようにしてもよい。
この場合、例えば有効なカメラが背面カメラであるときは、背面近接／接触検出部ではなく前面近接／接触検出部が近接または接触を検出した際に、有効なカメラが前面カメラに切り替わることとなる。
【００３４】
（第２の実施形態）
第２の実施形態を実現するための携帯端末１の構成は、第１の実施形態で説明した構成と実質的に同じである。第２の実施形態では、近接または接触が検出されている状態が予め定められた時間だけ継続した場合に、有効なカメラを切り替える。
【００３５】
図６は、第２の実施形態に係る処理を示すフローチャートを示す図である。
この図６に示されるフローチャートは、ユーザの操作によりカメラアプリの実行が指示された際に実行される処理を示している。
図６において、カメラアプリを起動する（ステップＳ３０１）。次いで、検出部により有効なカメラに対応するその近傍へのユーザの近接または接触が検出されたか否か判定する（ステップＳ３０２）。
【００３６】
近接または接触が検出されていない場合には（ステップＳ３０２でＮＯ）、タイマーが起動しているか否か判定する（ステップＳ３０３）。このタイマーとは、近接または接触している状態が継続している時間を計測するためのタイマーである。タイマーが起動している場合には（ステップＳ３０３でＹＥＳ）、タイマーを停止し、タイマーのカウントをリセットして（ステップＳ３０４）、ステップＳ３０２に戻る。一方、タイマーが起動していない場合には（ステップＳ３０３でＮＯ）、そのままステップＳ３０２に戻る。
【００３７】
上記ステップＳ３０２に戻り、ステップＳ３０２において、近接または接触が検出されている場合には（ステップＳ３０２でＹＥＳ）、タイマーが起動しているか否か判定する（ステップＳ３０５）。タイマーが起動していない場合には（ステップＳ３０５でＮＯ）、タイマーを起動して（ステップＳ３０６）、ステップＳ３０７に進む。一方、タイマーが起動している場合には（ステップＳ３０５でＹＥＳ）、そのままステップＳ３０７に進む。
【００３８】
次いで、予め定められた時間が経過したか否か判定する（ステップＳ３０７）。予め定められた時間が経過していない場合には（ステップＳ３０７でＮＯ）、ステップＳ３０２に戻る。一方、予め定められた時間が経過した場合には（ステップＳ３０７でＹＥＳ）、現在撮像しているカメラとは異なる他のカメラに有効なカメラを切り替えて（ステップＳ３０８）、本処理を終了する。
【００３９】
以上説明した第２の実施形態は、検出部による近接または接触が検出されてから、物体が検出された状態が予め定められた時間が継続した場合に、制御部１０７が処理を実行する情報を得るカメラを、一のカメラから他のカメラに切り替えるようになっている。
【００４０】
このように、第２の実施形態では、近接または接触している状態で予め定められた時間が経過した場合に切り替わるので、ユーザによる不注意な誤作動を防止してユーザの操作性を向上することができる。なお、予め定められた時間は、ユーザにより設定可能な時間としてもよいし、記憶部１０６に予め記憶されている時間としてもよい。
また、第２の実施形態では、１回切り替わるとそれ以降切り替えを行わないようなっているが、２回以上の予め定められた回数または何回でも切り替えを行うようにしてもよい。
【００４１】
（第３の実施形態）
第３の実施形態では、携帯端末１は、一例としてＩＣレコーダであって、第１、第２の実施形態のカメラに代えて、マイクを用いた実施形態となっており、マイクに入力された音声を録音する機能を実施する。また、携帯端末１には、２つのマイクと、各々に対応するセンサとしての検出部が設けられている。
【００４２】
従って、第３の実施形態の構成に、携帯端末１の背面マイクとしての第１入力部２１（図２）、携帯端末１の前面マイクとしての第２入力部２２（図２）が含まれる。さらに、第３の実施形態の構成に、背面近接／接触検出部として第１近接／接触検出部１１３（図２）、前面近接／接触検出部として第２近接／接触検出部１１４（図２）を含む。このようにマイクが用いられるため、第３の実施形態での構成は、図２に示された構成から音声入力部１１０を除いたものとなる。また、第２の実施形態と同じく、第３の実施形態の構成に、第３入力部２３及び第３近接／接触検出部１１５は含まれない。
【００４３】
なお、本実施形態において、単にマイクと表現されている場合には、背面マイク及び前面マイクのうちのいずれか１つのマイクを示し、単に検出部と表現されている場合には、背面近接／接触検出部及び前面近接／接触検出部のうちのいずれか１つのセンサを示す。
【００４４】
また、本実施形態において、制御部１０７は、複数の入力部４０１のうち、一つの入力部により得られた音声データを記憶部１０６に記憶する処理を実行する。また、切り替え制御部１０５は、制御部１０７の指示により、音声を入力するマイクを背面マイク、及び前面マイクのうちのいずれかに切り替える制御を行うものある。記憶部１０６には、デジタル化された音声データが記憶される。
【００４５】
上述した構成において、本実施形態では、録音している音声データを出力しているマイクに対応する検出部が近接または接触を検出すると、録音する音声データを出力するマイクを他のマイクに切り替える。本実施形態において、録音している音声データを出力しているマイクを「有効なマイク」と表現する。例えば、背面マイクが出力している音声データを記憶している場合には、有効なマイクは背面マイクとなる。
【００４６】
図７は、第３の実施形態に係る処理を示すフローチャートである。
この図７に示されるフローチャートは、ユーザの操作により録音開始が指示された際に実行される処理を示している。
図７において、ユーザの指示により録音を開始すると（ステップＳ４０１）、有効なマイクに対応する検出部による近接または接触の検出を開始する（ステップＳ４０２）。次いで、検出部により近接または接近が検出されると（ステップＳ４０３でＹＥＳ）、現在録音しているマイクとは異なる他のマイクに有効なマイクを切り替える（ステップＳ４０４）。また、近接または接触を検出する検出部を、有効となったマイクに対応する検出部に切り替えて（ステップＳ４０５）、ステップＳ４０２に戻る。
【００４７】
以上説明した図７の処理では、近接または接触が検出されるたびに有効なマイクが切り替わるようになっているが、例えば１回など予め定められた回数だけ切り替えが行われた場合には、それ以降切り替えを行わないようにしてもよい。このようにすることにより、誤動作を防止できる。
第３の実施形態によれば、例えばユーザの指の携帯端末１の所定箇所への単なる接近または接触により、有効なマイクの切り替えを簡便に行うことができる。
【００４８】
（変形例）
図８は、第３の実施形態に係る他の処理を示すフローチャートを示す図である。
この図８に示されるフローチャートは、ユーザの操作により録音開始が指示された際に実行される処理を示している。
【００４９】
図８において、ユーザの指示により録音を開始し、有効なマイクに対応する検出部による近接または接触の検出を開始する（ステップＳ５０１）。そして、予め定められた時間を計測するために、時間の計測を開始し（ステップＳ５０２）、この予め定められた時間が経過したか否か判定する（ステップＳ５０３）。予め定められた時間が経過した場合には（ステップＳ５０３でＹＥＳ）、本処理を終了する。
一方、予め定められた時間が経過していない場合には（ステップＳ５０３でＮＯ）、有効なマイクに対応する検出部により近接または接触が検出されたか否か判定する（ステップＳ５０４）。
【００５０】
近接または接触が検出されていない場合には（ステップＳ５０４でＮＯ）、ステップＳ５０３に戻る。一方、近接または接触が検出された場合には（ステップＳ５０４でＹＥＳ）、現在録音しているマイクとは異なる他のマイクに有効なマイクを切り替える（ステップＳ５０５）。そして、近接または接触を検出する検出部を、有効となったマイクに対応する検出部に切り替えて（ステップＳ５０６）、計測された時間をリセットし（ステップＳ５０７）、ステップＳ５０２に戻る。
【００５１】
上述した処理によれば、切り替えが行われる時間を予め定められた時間のみとすることで、誤動作を防止できるので、ユーザの操作性を向上させることができる。なお、予め定められた時間は、ユーザにより設定可能な時間としてもよいし、記憶部１０６に予め記憶されている時間としてもよい。
【００５２】
以上説明した第３の実施形態では、有効なマイクに対応する検出部が近接または接触を検出した場合に有効なマイクを切り替えるように制御しているが、有効ではないマイクに対応する検出部が近接または接触を検出した場合に有効なマイクを切り替えるようにしてもよい。
この場合、例えば有効なマイクが背面マイクであるときは、背面近接／接触検出部ではなく前面近接／接触検出部が近接または接触を検出した際に、有効なマイクが前面マイクに切り替わることとなる。
【００５３】
（第４の実施形態）
第４の実施形態は、携帯端末１が、一例としてカメラ機能付きの携帯電話端末であって、入力部としてのカメラが３つ設けられ、各々に対応してセンサとしての検出部が３つ設けられた形態となっている。従って、第４の実施形態の構成に、背面カメラとしての第１入力部２１（図２）、前面カメラとしての第２入力部２２（図２）、側面カメラとしての第３入力部２３（図２）が含まれる。また、第４の実施形態の構成に、背面近接／接触検出部としての第１近接／接触検出部１１３（図２）、前面近接／接触検出部としての第２近接／接触検出部１１４（図２）、側面近接／接触検出部としての第３近接／接触検出部１１５（図２）を含む。
【００５４】
本実施形態において、単にカメラと表現されている場合には、背面カメラ、前面カメラ、及び側面カメラのうちのいずれか１つのカメラを示し、単に検出部と表現されている場合には、背面近接／接触検出部、前面近接／接触検出部、及び側面近接／接触検出部のうちのいずれか１つのセンサを示す。
【００５５】
制御部１０７（図２）は、複数の入力部４０１（図１）のうち、一つの入力部により得られた画像データに対して、当該画像データが示す画像を表示部１０９に表示する処理を実行する。また、切り替え制御部１０５は、制御部１０７の指示により、撮像するカメラを背面カメラ、前面カメラ、及び側面カメラのうちのいずれかに切り替える制御を行うものである。記憶部１０６は、撮像された画像データなどが記憶される。
【００５６】
本実施形態において、表示部１０９（図２）に表示されている画像を撮像しているカメラを「有効なカメラ」と表現する。例えば、表示部１０９に背面カメラにより撮像された画像が表示されている場合には、有効なカメラは背面カメラとなる。
上述した構成において、本実施形態では、近接または接触が検出された検出部に対応するカメラに有効なカメラを切り替えるとともに、２つ以上の検出部が同時に近接または接触を検出した場合には、予め定められたカメラを有効なカメラとして切り替える。
【００５７】
図９は、第４の実施形態に係る処理を示すフローチャートを示す図である。
この図９に示されるフローチャートは、ユーザの操作によりカメラアプリの実行が指示された際に実行される処理を示している。
【００５８】
図９において、カメラアプリが起動すると（ステップＳ６０１）、有効なカメラに対応しない検出部による物体の検出を開始する（ステップＳ６０２）。例えば、背面カメラが有効となっていれば、前面近接／接触検出部及び側面近接／接触検出部で検出を開始する。
次いで、有効なカメラに対応しないカメラの近傍に位置する検出部により近接または接触が検出されると（ステップＳ６０３でＹＥＳ）、有効なカメラに対応しない検出部で同時に近接または接触が検出されたか否かさらに判定する（ステップＳ６０４）。
【００５９】
有効なカメラに対応しない検出部で同時に近接または接触が検出されていない場合には（ステップＳ６０４でＮＯ）、近接または接触が検出された検出部に対応するカメラに有効なカメラを切り替える（ステップＳ６０５）。
一方、有効なカメラに対応しない検出部で同時に近接または接触が検出された場合には（ステップＳ６０４でＹＥＳ）、予め定められたカメラに有効なカメラを切り替える（ステップＳ６０６）。
次いで、近接または接触を検出する検出部を、有効なカメラに対応しない検出部に切り替えて（ステップＳ６０７）、ステップＳ６０２に戻る。
【００６０】
以上説明した第４の実施形態は、制御部１０７が処理を実行する情報を得るカメラに対応する検出部以外の２つ以上の検出部により、同時に物体が検出された場合には、制御部１０７が処理を実行する情報を得るカメラを、一のカメラから予め定められたカメラに切り替えるようになっている。なお、予め定められたカメラとは、一意にカメラを指定してもよいし、優先順位を設定してもよく、これらの設定は、ユーザにより設定可能にしてもよいし、記憶部１０６に予め記憶させておいてもよい。
【００６１】
同時に物体が検出された場合には、ユーザが１つの入力部を指定したとは考えにくいので、予め定められた入力部を有効とすることにより、ユーザの操作性を向上させることができる。
【００６２】
このように、第４の実施形態では、近接または接触が検出されるたびに有効なカメラが切り替わるようになっているが、例えば１回など予め定められた回数だけ切り替えが行われた場合には、それ以降切り替えを行わないようにしてもよい。このようにすることにより、誤動作を防止できる。
また、３つのカメラの場合を例にしたが、第４の実施形態に示された処理は、４つ以上のカメラの場合にも適用することができる。更に、カメラをマイクに置き換えてもよい。
【００６３】
また、各実施形態において、ユーザがカメラやマイクを例えば指でふさぐ行為や触れる行為によっても近接または接触が検出される。従って、近接または接触が検出されたセンサに対応するカメラまたはマイクを有効なカメラまたはマイクとする処理では、触れることによって有効となるので、極めて自然な操作をユーザに提供することができる。
【００６４】
一方、近接または接触が検出されたセンサに対応するカメラまたはマイクを有効なカメラまたはマイクとしない処理では、ふさぐことによって有効ではなくなるので、これも極めて自然な操作をユーザに提供することができる。
【００６５】
なお、本発明は次の態様で実施することができる。
（１）複数の入力部のうち少なくとも一の入力部に対応して設けられ、対応する前記入力部への近接または接触を検出する検出部と、前記検出部により近接または接触が検出された場合には、処理実行部が処理を実行する情報を得る前記入力部を、前記一の入力部から他の前記入力部に切り替える切り替え部とを有することを特徴とする携帯端末。
（２）前記切り替え部は、予め定められた時間が経過する間に、前記検出部により近接または接触が検出された場合に、前記処理実行部が処理を実行する情報を得る前記入力部を、前記一の入力部から他の前記入力部に切り替えることを特徴とする（１）記載の携帯端末。
（３）前記切り替え部は、前記検出部による近接または接触が検出されてから、物体が検出された状態が予め定められた時間が継続した場合に、前記処理実行部が処理を実行する情報を得る前記入力部を、前記一の入力部から他の前記入力部に切り替えることを特徴とする（１）記載の携帯端末。
（４）前記切り替え部は、前記処理実行部が処理を実行する情報を得る前記入力部に対応する前記検出部以外の２つ以上の前記検出部により、同時に物体が検出された場合には、前記処理実行部が処理を実行する情報を得る前記入力部を、前記一の入力部から予め定められた前記入力部に切り替えることを特徴とする（１）記載の携帯端末。
（５）前記入力部はカメラであり、前記処理実行部は、前記携帯端末に設けられた表示部に前記カメラで撮像することにより得られた画像データを示す画像を表示する処理を実行することを特徴とする（１）から（４）のいずれか１項に記載の携帯端末。
（６）前記入力部はマイクであり、前記処理実行部は、前記携帯端末に設けられた記憶部に前記マイクにより得られた音声データを記憶する処理を実行することを特徴とする（１）から（４）のいずれか１項に記載の携帯端末。
【００６６】
上述した実施形態における携帯端末をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００６７】
１  携帯端末、１０  ＣＰＵ、１１  ＲＯＭ、１２  ＲＡＭ、
１３  第１センサ（検出部）、１４  第２センサ（検出部）、
１５  第３センサ（検出部）、２１  第１入力部（入力部）、
２２  第２入力部（入力部）、２３  第３入力部（入力部）、
１０５  切り替え制御部（切り替え部）、１０６  記憶部、
１０７  制御部（処理実行部）、１０９  表示部、４０１  複数の入力部（入力部）、
４０２  複数のセンサ（検出部）
【図１】
0006478094.tif 000002
【図２】
0006478094.tif 000003
【図３】
0006478094.tif 000004
【図４】
0006478094.tif 000005
【図５】
0006478094.tif 000006
【図６】
0006478094.tif 000007
【図７】
0006478094.tif 000008
【図８】
0006478094.tif 000009
【図９】
0006478094.tif 000010